(57)【要約】      （修正有）【課題】シール部（接合部）のカットをなくして接合強度が低下するのを抑えることができるとともに、接合ラインが目立ちにくい使い捨て着用物品を提供する。【解決手段】吸収体を有して縦方向へ延びるおむつ本体１６と、前ウエスト域と後ウエスト域とを連結するための一対のウエストベルト１７と、ウエスト開口と、一対のレッグ開口とを含む。一対のウエストベルト１７とおむつ本体１６とは、前後ウエスト域において、レッグ開口からウエスト開口へ向かって縦中心線に近づく、複数のシール部８０を有する前後接合ラインを介して互いに接合され、ウエストベルト１７の肌対向面とおむつ本体１６の肌対向面どうしが互いに対向して重ね合された重畳域８７が形成されている。前後接合ラインが延びる方向と交差する方向において、重畳域８７の外側縁８７ａと、前後接合ラインの外側縁８４ａとの離隔寸法Ｌ４が、１〜１２ｍｍである。【選択図】図８
0003206405.tif 000002
【実用新案登録請求の範囲】
【請求項１】
縦方向および横方向と、肌対向面と非肌対向面と、前記横方向の寸法を２等分する縦中心線とを有し、前ウエスト域と、後ウエスト域と、前後ウエスト域の間に位置するクロッチ域と、吸収体を有して前記縦方向へ延びるおむつ本体と、前記前ウエスト域と前記後ウエスト域とを連結するための一対のウエストベルトと、ウエスト開口と、一対のレッグ開口とを含む使い捨て着用物品において、
前記一対のウエストベルトと前記おむつ本体とは、前記前後ウエスト域において、前記レッグ開口から前記ウエスト開口へ向かって前記縦中心線に近づく、複数の接合部を有する接合ラインを介して互いに接合され、前記ウエストベルトの前記肌対向面と前記おむつ本体の前記肌対向面どうしが互いに対向して重ね合された重畳域が形成され、
前記接合ラインが延びる方向と交差する方向において、前記接合ラインの外側縁と前記重畳域の外側縁との離隔寸法が、１〜１２ｍｍであることを特徴とする着用物品。
【請求項２】
前記ウエストベルトは、少なくとも前記横方向へ弾性伸縮可能であって、前記ウエストベルトの前記横方向への伸縮力が、前記おむつ本体の前記縦方向の伸縮力よりも大きく、
前記重畳域は、少なくとも前記ウエスト開口側では、前記ウエストベルトの収縮によって、前記ウエストベルトの側へ倒伏する請求項１に記載の着用物品。
【請求項３】
前記接合ラインが延びる方向と交差する方向において、前記重畳域の外側縁と前記接合ラインの外側縁との前記離隔寸法が、３〜１０ｍｍである請求項１または２に記載の着用物品。
【請求項４】
前記接合ラインは、前記縦方向において、前記おむつ本体の内側に位置する複数の内側接合部と、前記おむつ本体の外側に位置する複数の外側接合部と有し、
複数の前記内側接合部および複数の前記外側接合部のいずれか一方の接合部から任意に選択した１つの接合部における前記横方向の第１投影域および前記縦方向の第２投影域から外れた領域に、前記１つの接合部に対して前記縦方向および前記横方向のいずれかに隣接し、前記内側接合部および前記外側接合部のいずれか他方の接合部が位置する請求項１〜３のいずれかに記載の着用物品。
【請求項５】
前記接合ラインは、前記縦方向において、前記おむつ本体の内側に位置する複数の内側接合部と、前記おむつ本体の外側に位置する複数の外側接合部と有し、
複数の前記内側接合部および複数の前記外側接合部のいずれか一方の接合部から任意に選択した１つの接合部における前記横方向の第１投影域に、前記接合部に対して前記横方向に隣接する前記内側接合部および前記外側接合部のいずれか他方の接合部の一部分が含まれる請求項１〜３のいずれかに記載の着用物品。
【請求項６】
前記接合ラインは、前記縦方向において、前記おむつ本体の内側に位置する複数の内側接合部と、前記おむつ本体の外側に位置する複数の外側接合部と有し、
複数の前記内側接合部および複数の前記外側接合部のいずれか一方の接合部から任意に選択した１つの接合部における前記縦方向の第２投影域に、前記接合部に対して前記縦方向に隣接する前記内側接合部および前記外側接合部のいずれか他方の接合部の一部分が含まれる請求項１〜３のいずれかに記載の着用物品。
【考案の詳細な説明】
【技術分野】
【０００１】
この考案は、使い捨て着用物品に関する。
【背景技術】
【０００２】
従来、縦方向および横方向と、肌対向面と非肌対向面と、横方向の寸法を２等分する縦中心線とを有し、前ウエスト域と、後ウエスト域と、前後ウエスト域の間に位置するクロッチ域と、吸収体を有して前記縦方向へ延びるおむつ本体と、前ウエスト域と後ウエスト域とを連結するための一対のウエストベルトと、ウエスト開口と、一対のレッグ開口とを含む使い捨て着用物品（おむつ）は公知である。
【０００３】
例えば、特許文献１には、一対のウエストベルトとおむつ本体とが、前後ウエスト域において、レッグ開口からウエスト開口へ向かって縦中心線に近づく、複数の接合部を有する接合ラインを介して互いに接合されているおむつが開示されている。
【先行技術文献】
【特許文献】
【０００４】
【特許文献１】特開平９−２９０００３号公報
【考案の概要】
【考案が解決しようとする課題】
【０００５】
しかしながら、特許文献１には、接合部および接合ラインの詳細が開示されていない。上記のようなおむつにおいて、仮に、ウエストベルトの肌対向面とおむつ本体の肌対向面どうしが互いに対向して重ね合された重畳域を形成したとき、重畳域の外側縁と接合ラインの外側縁との離隔寸法が大きい場合（具体的には、１２ｍｍより大のとき）、接合ラインが前後ウエスト域において、レッグ開口からウエスト開口へ向かって縦中心線に近づくように配置されているため、着用者の腹および背の中央に接合ラインが位置するため、接合ラインが目立つおそれがあった。
【０００６】
そこで、本考案の目的は、従来の技術の改良であって、製造中、着用物品が機械方向に対して交差（直交）する方向へ蛇行することに起因する、シール部（接合部）のカットをなくして接合強度が低下するのを抑えることができるとともに、接合ラインが目立ちにくい使い捨て着用物品の提供にある。
【課題を解決するための手段】
【０００７】
上記課題を達成するために、本考案が対象とするのは、縦方向および横方向と、肌対向面と非肌対向面と、前記横方向の寸法を２等分する縦中心線とを有し、前ウエスト域と、後ウエスト域と、前後ウエスト域の間に位置するクロッチ域と、吸収体を有して前記縦方向へ延びるおむつ本体と、前記前ウエスト域と前記後ウエスト域とを連結するための一対のウエストベルトと、ウエスト開口と、一対のレッグ開口とを含む使い捨て着用物品に関する。
【０００８】
本考案は、上記着用物品において、前記一対のウエストベルトと前記おむつ本体とは、前記前後ウエスト域において、前記レッグ開口から前記ウエスト開口へ向かって前記縦中心線に近づく、複数の接合部を有する接合ラインを介して互いに接合され、前記ウエストベルトの前記肌対向面と前記おむつ本体の前記肌対向面どうしが互いに対向して重ね合された重畳域が形成され、前記接合ラインが延びる方向と交差する方向において、前記接合ラインの外側縁と前記重畳域の外側縁との離隔寸法が、１〜１２ｍｍであることを特徴とする。
【０００９】
前記ウエストベルトは、少なくとも前記横方向へ弾性伸縮可能であって、前記ウエストベルトの前記横方向への伸縮力が、前記おむつ本体の前記縦方向の伸縮力よりも大きく、前記重畳域は、少なくとも前記ウエスト開口側では、前記ウエストベルトの収縮によって、前記ウエストベルトの側へ倒伏する。仮に、ウエストベルトの伸長力と、おむつ本体の伸長力とが同一であれば、重畳域が起立するが、前記ウエストベルトの前記横方向への伸縮力が、前記おむつ本体の前記縦方向の伸縮力よりも大きいため、重畳域がウエストベルトの側へ倒伏する。よって、接合ラインが目立つのをより抑えることができる。
【００１０】
前記接合ラインが延びる方向と交差する方向において、前記重畳域の外側縁と前記接合ラインの外側縁との前記離隔寸法が、３〜１０ｍｍである。このため、確実に接合ラインが破れるのを防止することができるとともに、より接合ラインを目立ちにくくすることができる。
【００１１】
前記接合ラインは、前記縦方向において、前記おむつ本体の内側に位置する複数の内側接合部と、前記おむつ本体の外側に位置する複数の外側接合部と有し、複数の前記内側接合部および複数の前記外側接合部のいずれか一方の接合部から任意に選択した１つの接合部における前記横方向の横方向投影域および前記縦方向の第２投影域から外れた領域に、前記１つの接合部に対して前記縦方向および前記横方向のいずれかに隣接し、前記内側接合部および前記外側接合部のいずれか他方の接合部が位置する。このため、接合部の面積を可及的に小さくし、接合ラインにおける剛性を小さくすることができる。
【００１２】
前記接合ラインは、前記縦方向において、前記おむつ本体の内側に位置する複数の内側接合部と、前記おむつ本体の外側に位置する複数の外側接合部と有し、  複数の前記内側接合部および複数の前記外側接合部のいずれか一方の接合部から任意に選択した１つの接合部における前記横方向の第１投影域に、前記接合部に対して前記横方向に隣接する前記内側接合部および前記外側接合部のいずれか他方の接合部の一部分が含まれる。このため、横方向におけるおむつ本体とウエストベルトとの接合を確実にすることができる。
【００１３】
前記接合ラインは、前記縦方向において、前記おむつ本体の内側に位置する複数の内側接合部と、前記おむつ本体の外側に位置する複数の外側接合部と有し、複数の前記内側接合部および複数の前記外側接合部のいずれか一方の接合部から任意に選択した１つの接合部における前記縦方向の第２投影域に、前記接合部に対して前記縦方向に隣接する前記内側接合部および前記外側接合部のいずれか他方の接合部の一部分が含まれる。このため、縦方向におけるおむつ本体とウエストベルトとの接合を確実にすることができる。
【考案の効果】
【００１４】
本考案に係る使い捨て着用物品の一つ以上の実施形態によれば、一対のウエストベルトとおむつ本体とは、前後ウエスト域において、レッグ開口からウエスト開口へ向かって縦中心線に近づく、複数の接合部を有する接合ラインを介して互いに接合され、ウエストベルトの肌対向面とおむつ本体の肌対向面どうしが互いに対向して重ね合された重畳域が形成され、横方向において、重畳域の外側縁と接合ラインの外側縁との離隔寸法が、１２ｍｍ以下であるため、着用状態において、ウエストベルトとおむつ本体とのいずれか一方が他方に対して浮き上がるのを防止することができるため、接合ラインが目立つのを抑えることができる。しかも、接合ラインが延びる方向と交差する方向において、接合ラインの外側縁と重畳域の外側縁との離隔寸法が１〜１２ｍｍであるため、着用状態において、着用者の動作によって接合ラインが破れるのを抑えることができるとともに、接合ラインを目立ちにくくすることができる。
【図面の簡単な説明】
【００１５】
図面は、本開示に係る本考案の特定の実施の形態を示し、考案の不可欠な構成ばかりでなく、選択的及び好ましい実施の形態を含む。
【図１】本考案における使い捨て着用物品の一例として示す、おむつの斜視図。
【図２】おむつを縦方向及び横方向に伸長させて、ウエストベルトの内面とおむつ本体の内面とを当接させた状態における平面図。
【図３】おむつの前後ウエスト域における接合ラインの接合を解き、おむつ本体とウエストベルトとを縦方向と横方向とに伸長した状態における展開平面図。
【図４】図２のＩＶ−ＩＶ線に沿う断面図。
【図５】（ａ）図３に示す態様において、ウエストベルトを仮想線で示した、ウエストベルトを接合ラインを介して横方向の外側へ開いた状態における後ウエスト域の拡大図。（ｂ）図３に示す態様において、ウエストベルトを仮想線で示した、ウエストベルトを接合ラインを介して横方向の外側へ開いた状態における前ウエスト域の拡大図。
【図６】縦方向の寸法を２等分する横中心線に沿って折曲して前後ウエスト域の内面どうしを互いに当接させ、かつ、収縮した状態におけるおむつの平面図。
【図７】後エウスト域において、後接合ラインを有する部分の拡大図。
【図８】図７のＶＩＩＩ−ＶＩＩＩ線に沿う断面図。
【図９】変形例のおむつにおける図７と同様の拡大図。
【考案を実施するための形態】
【００１６】
下記の各実施の形態は、図１〜図９に示す使い捨て着用物品に関し、考案の不可欠な構成ばかりではなく、選択的及び好ましい構成を含む。図２〜図４において、後述する各弾性体は、その収縮力に抗して、横方向Ｘ及び縦方向Ｙへの収縮力により、各弾性体が取り付けられた部材に生じたギャザーが自然な視覚によって実質的に無くなっているように見える程度にまで伸長された状態にある。
【００１７】
図１〜図３を参照すると、本考案に係る使い捨て着用物品の一例であるおむつ１０は、縦方向Ｙ及びそれに直交する横方向Ｘと、肌対向面及びその反対側の非肌対向面と、横方向Ｘの長さ寸法を２等分する縦中心線Ｐと、縦方向Ｙの長さ寸法を２等分する横中心線Ｑとを有し、前ウエスト域１１と、後ウエスト域１２と、前ウエスト域１１および後ウエスト域１２の間に位置するクロッチ域１３とを含む。おむつ１０は縦中心線Ｐに関してほぼ対称であって、ウエスト開口１４と一対のレッグ開口１５とを有する。
【００１８】
おむつ１０は、吸収体２３を有し縦方向Ｙに延びるおむつ本体１６と、前後ウエスト域１１，１２を連結するための一対のウエストベルト１７とを含む。一対のウエストベルト１７は、縦中心線Ｐに関してほぼ対称に配置され、レッグ開口１５の側からウエスト開口１４の側へ向かって縦中心線Ｐに近づく前後接合ライン（シールライン）１８Ａ，１８Ｂを介しておむつ本体１６に接合される。
【００１９】
ウエストベルト１７は、前後接合ライン１８Ａ，１８Ｂにおいて、その肌対向面とおむつ本体１６の肌対向面が互いに固定されている。かかる接合態様を有することによって、前後接合ライン１８Ａ，１８Ｂが着用者の身体に触れて違和感や刺激を与えることはない。後記の本実施形態の効果を奏する限りにおいて、前後接合ライン１８Ａ，１８Ｂには、熱溶着手段のほかに、ホットメルト接着剤などの公知の接合手段を用いることもできる。ウエストベルト１７は、一対の弾性パネルによって形成され、おむつ本体１６と同一のシート材料から形成することができる。
【００２０】
＜おむつ本体＞
図３〜図５を参照すると、おむつ本体１６は、縦方向Ｙにおいて離隔対向する前端縁１６ａ及び後端縁１６ｂと、横方向Ｘにおいて離隔対向するレッグ開口縁１６ｃ，１６ｄとによって画定され、前端縁１６ａ間に位置する前端部２０Ａと、後端縁１６ｂ間に位置する後端部２０Ｂと、前後端部２０Ａ，２０Ｂの間に位置する中間部２０Ｃとを有する。前後端縁１６ａ，１６ｂは、それぞれ、縦中心線Ｐに関してほぼ対称であって、縦方向Ｙの外側へ向かって凸状に延びている。前後端部２０Ａ，２０Ｂは、それぞれ、おむつ１０の前後ウエスト域１１，１２に位置し、中間部２０Ｃはクロッチ域１３に位置する。
【００２１】
クロッチ域１３は、説明の便宜上、横中心線Ｑに対して、前ウエスト域１１の側に位置する前側部分１３Ａと、後ウエスト域１２の側に位置する後側部分１３Ｂとに区分されている。
【００２２】
おむつ本体１６は、肌対向面に位置する透液性の内層シート２１と、非肌対向面に位置する不透液性の外層シート２２と、内外層シート２１，２２の間に位置する吸収体２３と、吸収体２３と外層シート２２との間に位置する難透液性又は不透液性の防漏シート２４とを含む。内外層シート２１，２２の両側には、それらに介在された状態で、横方向Ｘに互いに離隔し縦方向Ｙへ延びる一対のサイドシート２５が配置されている。
【００２３】
内層シート２１は、略八角形状をなし、質量が１５〜３５ｇ／ｍ２、好ましくは１８〜２４ｇ／ｍ２の親水処理した疎水性のエアスルー繊維不織布、スパンボンド繊維不織布、ポイントボンド繊維不織布等から形成されていることが好ましい。外層シート２２は、内層シート２１とほぼ同形同大であって、質量が１５〜３０ｇ／ｍ２、好ましくは１８〜２４ｇ／ｍ２の疎水性のスパンボンド・メルトブローン・スパンボンド（以下ＳＭＳとする）繊維不織布またはスパンボンド繊維不織布から形成されていることが好ましい。
【００２４】
前後ウエスト域１１，１２において、おむつ本体１６の内層シート２１の肌対向面側には、繊維不織布製の補強シート６６ａ，６６ｂが配置されている。補強シート６６ａ，６６ｂは、前後接合ライン１８Ａ，１８Ｂと重なって位置し、補強シート６６ａ，６６ｂが配置されることによって、前後接合ライン１８Ａ，１８Ｂにおける剥離強度が向上するとともに、おむつ本体１６の前後端部の剛性が向上し、着用中におけるヨレを防止することができる。
【００２５】
吸収体２３は、縦方向Ｙの外側へ凸曲した前後端縁２３ａ，２３ｂと、前後端縁間に縦方向Ｙへ延びる両側縁２３ｃとを有し、所要の形状に賦型された吸液性コアと、吸液性コアを覆うティッシュペーパ等の液拡散性のコアカバーシートとを含む。吸液性コアとしては、木材フラッフパルプ、高吸収性ポリマー粒子、またはこれらの混合物を用いることができる。吸液性コアとコアカバーシートとは、ホットメルト接着剤等の公知の接合手段を用いて互いに接合することができる。
【００２６】
防漏シート２４は、吸収体２３と外層シート２２との間において、ホットメルト接着剤等の公知の接合手段によって接合することができる。防漏シート２４としては、例えば、難透液性、好ましくは、不透液性かつ通気性のプラスチックフィルムを用いることができ、防漏シート２４が吸収体２３の非肌対向面の全体を覆うことによって、吸収体２３で吸収された体液がおむつ１０の外側に漏れるのを防止することができる。図示していないが、防漏シート２４に絵柄や色彩等の装飾要素を有するシート（イラストシート）を用いて、所要の光線透過率を有する外層シート２２から装飾要素を透過させることもできる。
【００２７】
図４を参照すると、一対のサイドシート２５は、吸収体２３の横方向Ｘの両側に配置され、防漏シート２４と内層シート２１との間において、ホットメルト接着剤等の公知の接合手段によって接合されている。サイドシート２５は、吸収体２３側に位置する第１シート２５Ａと外層シート２２側に位置する第２シート２５Ｂとから形成され、両シート２５Ａ，２５Ｂはホットメルト接着剤等の公知の手段によって接合されている。サイドシート２５としては、例えば、質量が１０〜３０ｇ／ｍ２の疎水性のＳＭＳ繊維不織布またはスパンボンド繊維不織布を用いることができる。
【００２８】
おむつ本体１６は、レッグ開口縁１６ｃ，１６ｄに沿う下方レッグ開口縁部に弾性を付与する下方レッグ弾性体２６を有する。下方レッグ弾性体２６は、おむつ本体１６の前端縁１６ａから後端縁１６ｂまでの間において縦方向Ｙへ伸長状態で収縮可能に取り付けられた複数条のストリング状またはストランド状の弾性材料から形成される。下方レッグ弾性体２６が配置されることによって、吸収体２３の両側縁２３ｃの横方向Ｘの外側部分には、下方レッグ弾性域４０が形成される。下方レッグ弾性域４０は、前ウエスト域１１に位置する前接合ライン１８Ａから後ウエスト域１２に位置する後接合ライン１８Ｂまで延びている。本実施形態において、サイドシート２５は２つのシート２５Ａ，２５Ｂから形成されているが、一枚の繊維不織布を折り曲げて固定することによって形成してもよいし、外層シート２２の延出部分から形成してもよい。
【００２９】
下方レッグ弾性体２６は、太さ４５０〜５００ｄｔｅｘの弾性材料であって、１．５〜２．０倍に伸長された状態で固定されている。なお、本実施形態において、後述する上方レッグ弾性体３５もストリング状又はストランド状の弾性材料から形成されているが、後記の本考案の技術的効果を奏する限りにおいて、上下方レッグ弾性体２６，３５は、弾性繊維不織布製の弾性シートから形成されていてもよい。また、上下方レッグ弾性体２６，３５として、ストリング状又はストランド状の弾性材料と弾性繊維不織布とを併用してよい。弾性繊維不織布を併用する場合には、面状にフィットされるので、ギャザーを均一に形成することができる。また、ストリング状又はストランド状の弾性材料の伸長倍率を弾性繊維不織布の伸長倍率よりも低く設定する場合には、該弾性材料の収縮によって弾性繊維不織布による均一のギャザーの形成を阻害するおそれはない。
【００３０】
＜ウエストベルト＞
図２及び３を参照すると、ウエストベルト１７は、前後接合ライン１８Ａ，１８Ｂを介しておむつ本体１６に接合された両端縁（前後端縁）１７ａ，１７ｂと、おむつ本体１６のレッグ開口縁１６ｃ，１６ｄとともにレッグ開口１５を形成する下側縁１７ｃと、ウエスト開口縁を形成する上側縁１７ｄとを有する。
【００３１】
ウエストベルト１７は、繊維不織布製のウエストシート３０から形成された内層３１と外層３２を有する。内層３１と外層３２との間には、ストリング状又はストランド状の弾性材料から形成された複数条のウエスト弾性体３３，３４が伸長状態で収縮可能に取り付けられている。ウエスト弾性体３３，３４は、ウエストベルト１７の上方部分に配置された上方ウエスト弾性体３３と、下方部分に配置された下方ウエスト弾性体３４とを有する。
【００３２】
下方ウエスト弾性体３４よりも下方には、ウエストベルト１７の下側縁１７ｃに沿って横方向Ｘに延びる複数条の上方レッグ弾性体３５が位置する。ウエストベルト１７の下側部には、上方レッグ弾性体３５の収縮力が作用する上方レッグ弾性域４１が位置し、上方レッグ弾性域４１は、おむつ本体１６のレッグ開口縁部に配設された下方レッグ弾性体２６の収縮力が作用する下方レッグ弾性域４０とともに、着用者の大腿部を囲堯する仮想の弾性帯を形成する。
【００３３】
ウエストシート３０は、上側縁１７ｄ側において、その一部が内側へ折り曲げられた状態で固定されて折曲部分３６が形成されている。かかる折曲部分３６には、複数の上方ウエスト弾性体３３が配置されている。また、折曲部分３６に配置された上方ウエスト弾性体３３と、ウエストシート３０のうちの折曲部分３６以外の部分（主体部）に配置された上方ウエスト弾性体３３とは、それぞれ厚さ方向Ｚにおいてずれていることが好ましい。これにより、上方ウエスト弾性体３３が厚さ方向Ｚにおいて重なり合うことによる伸長応力の集中を避け、広い範囲で身体へのフィット性を実現することができる。さらに、ウエスト開口縁部に折曲部分３６が位置することによって、光線透過率が局所的に低くなり、より下着らしい外観を呈する。
【００３４】
本実施形態においては、ウエスト開口１４の側に配置された上方ウエスト弾性体３３（折曲部分３６に配置された弾性体を含む）は、太さ４５０〜５００ｄｔｅｘであって、３．０〜３．５倍に伸長された状態で固定されている。また、上方ウエスト弾性体３３のうちのレッグ開口１５の側に配置された弾性体は、太さ６００〜６５０ｄｔｅｘであって、２．５〜３．０倍に伸長された状態で固定されている。ウエストベルト１７の下方部分に配置された下方ウエスト弾性体３４は、太さ６００〜６５０ｄｔｅｘであって、２．５〜３．０倍に伸長された状態で固定されている。上方ウエスト弾性体３３と下方ウエスト弾性体３４とにおける各弾性体間のピッチ（離隔寸法）は等間隔であって、５．０〜６．０ｍｍである。
【００３５】
図３〜図５を参照すると、おむつ本体１６のレッグ開口縁１６ｃ，１６ｄは、それぞれ、クロッチ域１３において横中心線Ｑから前ウエスト域１１へ向かって次第に横方向Ｘの内側へ凸曲する前レッグ開口縁１９ａと、クロッチ域１３において横中心線Ｑから後ウエスト域１２へ向かって次第に横方向Ｘの外側へ凸曲する後レッグ開口縁１９ｂとを有する。レッグ開口縁１６ｃ，１６ｄがかかる形状を有することから、クロッチ域１３の後側部分１３Ｂは、前側部分１３Ａに比べて幅広となっている。したがって、着用したときに、クロッチ域１３の後ウエスト域１２側に位置する後側部分１３Ｂで着用者の臀部を広く覆うことができる一方、クロッチ域１３の前ウエスト域１１側に位置する前側部分１３Ａで着用者の鼠蹊部に沿って、大腿部の動きを阻害しないようにフィットさせることができる。
【００３６】
本実施形態のおむつ１０のウエストベルト１７は、比較的に幅狭であって、着用者の大転子と骨盤内とにおける凹部にウエストベルト１７を食い込ませるように配置することによって、必要最低限度の面積でおむつ１０を着用者の腰回りに保持させることができる。このとき、ウエストベルト１７が吸収体２３と重なっていないことから、ウエストベルト１７が弾性的に伸長されて所要のホールド力を発揮した状態にあっても、吸収体２３にその収縮作用によるギャザーが形成されることはない。したがって、防漏シート２４が装飾要素を有するイラストシートである場合には、装飾要素の形状が変化して視認性が低下するのを抑制することができる。
【００３７】
また、上方レッグ弾性体３５が配置された上方レッグ弾性域４１の単位面積当たりの伸長応力が、下方レッグ弾性体２６が配置された下方レッグ弾性域４０の単位面積当たりの伸長応力よりも高くなっている。したがって、下方レッグ弾性域４０は相対的に伸長応力が低く設定され、吸収体２３が下方レッグ弾性体２６の収縮作用によって、縦方向Ｙへ縮んでしまうことはない。また、吸収体２３に、ウエスト開口１４の周方向（横方向）及び縦方向Ｙへそれを縮めてギャザーを形成しようとする力が作用するのを抑制することができるので、吸収体２３が平面形状を維持して、吸収体２３がごわついた外観を呈することによる、いわゆる「おむつらしい見た目」や印象を与えるのを抑制することができる。このように、吸収体２３の変形を抑えることによって、ごわごわとしたおむつらしい外観となるのを抑制し、下着らしい外観と着用感を実現することができる。さらに、上方レッグ弾性域４１の伸長応力が下方レッグ弾性域４０のそれよりも高いことによって、着用したときに、上方レッグ弾性域４１が下方レッグ弾性域４０に引っ張られて、ウエストベルト１７がずり下がることはない。
【００３８】
また、下方レッグ弾性体２６は、吸収体２３の横方向Ｘの外側において離隔して位置していることによって、レッグ開口縁部が湾曲してカップ状を呈し、排泄物の漏れを防止する障壁が形成されるので、吸収体２３による排泄物の吸収に時間を要する場合であっても、排泄物が横漏れを防ぐことができる。特に、おむつ１０を大人用の軽失禁パンツとして使用する場合には、排泄物の量が比較的に少量であるので、下方レッグ弾性域４０の伸長応力が比較的に低くても、かかる障壁によって十分に横漏れを抑制することができる。
【００３９】
下方レッグ弾性体２６は、全体として縦方向Ｙへ直線状に延びていることが好ましい。ストリング状又はストランド状の下方レッグ弾性体２６の全体又はその一部が、レッグ開口縁１６ｃ，１６ｄに沿う湾曲した曲線状を有する場合には、その製造工程上、湾曲した部分の収縮力が直線状の部分に比べて低下することから、直線状の部分と湾曲状の部分との収縮力の差によって隙間が形成されるとともに、該部分には互いに異なる形状のギャザーが形成される。そのために、レッグ開口縁部に隙間が生じて排泄物の横漏れを生じるおそれがあるとともに、外面に規則的な小さなギャザーが形成された、下着のような外観を呈することができない。本実施形態においては、複数条の下方レッグ弾性体２６が縦方向Ｙへ直線状に延びていることによって、全体として収縮力が均一であって、縦方向Ｙへ延びる障壁が形成されて排泄物の横漏れが効果的に防止される。また、下方レッグ弾性域４０には、規則的な大きさのギャザーが形成され、下着のような外観を呈することができる。
【００４０】
図２及び図５（ａ）、（ｂ）を参照すると、吸収体２３の前後端部５１，５２は、前後ウエスト域１１，１２においてウエストベルト１７の前後接合ライン１８Ａ，１８Ｂ間に位置している。したがって、ウエストベルト１７をウエスト開口１４の周方向へ弾性的に伸長したときに、吸収体２３の前後端部５１，５２には、ウエスト開口１４の周方向における相反する向きにそれを引っ張ろうとする力が作用するので、吸収体２３をウエスト開口１４の周方向へ拡げた態様で着用者の身体に当接させることができる。
【００４１】
また、吸収体２３の前後端部５１，５２は、曲線状を有している。ウエストベルト１７間に、シート部材に比して比較的に剛性の高い、パネル状を有する吸収体２３の前後端部５１，５２が位置することによって、ウエストベルト１７がウエスト周りに弾性的に伸長され難くなるおそれがあるが、吸収体２３の前後端部５１，５２が曲線状を有することによって、吸収体２３の前後端縁２３ａ，２３ｂに作用する力がほぼ均等に分散されて、ウエストベルト１７の弾性伸長力が阻害されるのを抑制することができる。また、吸収体２３の前後端部５１，５２の周辺にそれに作用する力が均等に分散されることによって、吸収体２３の存在域と非存在域との間における剛性差によって生じる、比較的に大きなギャザーが発生するのを抑制することができる。なお、本実施形態においては、吸収体２３の前後端部５１，５２が曲線状であって、それぞれ、前後ウエスト域１１，１２において前後接合ライン１８Ａ，１８Ｂ間位置しているが、一方端部のみが曲線状であって、他方端部が矩形状であってもよいし、一方端部が前後接合ライン１８Ａ，１８Ｂ間に位置していなくてもよい。
【００４２】
図５（ａ）（ｂ）を参照すると、ウエストベルト１７は、下側縁１７ｃ側がレッグ開口縁側となり、上側縁１７ｄ側がウエスト開口縁側となるように前後接合ライン１８Ａ，１８Ｂを介しておむつ本体１６の前後端部２０Ａ，２０Ｂに伸長状態で収縮可能に接合される。本実施形態において、後ウエスト域１２は、後接合ライン１８Ｂの外側縁を形成するウエストベルト１７と、後接合ライン１８Ｂの内側縁を形成するおむつ本体１６との間に、境界ライン６０を有し、前ウエスト域１１は、前接合ライン１８Ａの外側縁を形成するウエストベルト１７と、前接合ライン１８Ａの内側縁を形成するおむつ本体１６との間に、境界ライン６３を有している。後ウエスト域１２における境界ライン６０とウエスト開口縁との交点６１において、ウエスト開口縁と直交する（縦中心線Ｐと並行に延びる）仮想線６２と、境界ライン６０とが交わる角度を交角θ１とし、前ウエスト域１１における境界ライン６３とウエスト開口縁との交点６４において、ウエスト開口縁と直交する（縦中心線Ｐと並行に延びる）仮想線６５と、境界ライン６３とが交わる角度を交角θ２とすると、本実施形態にかかるおむつ１０では、交角θ１と交角θ２とが異なる。交角θ２は交角θ１よりも大きいことが好ましく、このように前後ウエスト域１１，１２において交角の値が異なることで、着用時においておむつ１０の前側（腹側）と後側（背側）とを容易に識別することができる。
【００４３】
交角θ２は、２０〜７０度の範囲であることが好ましく、３０〜６０度の範囲であることがより好ましい。交角θ２が２０度未満の場合、おむつ１０の装着時においてウエストベルト１７がフィットする位置まで前ウエスト域１１を引き上げた際に、おむつ本体１６が上方に引き上がり過ぎて、着用者の鼠蹊部周辺においておむつ本体１６のダブつきが生じ、隙間なくフィットさせることができないおそれがある。また、交角θ２が７０度超えの場合、吸収体２３を十分に上方に引き上げることができず、着用者の鼠蹊部とおむつ本体１６の間に隙間が生じてしまうおそれがある。
【００４４】
交角θ１は、１０〜６０度の範囲であることが好ましく、２０〜５０度の範囲であることがより好ましい。交角θ１が１０度未満の場合、おむつ１０の装着時においてウエストベルト１７がフィットする位置まで後ウエスト域１２を引き上げた際に、おむつ本体１６が上方に引き上がり過ぎて、着用者の仙骨部周辺においておむつ本体１６のダブつきが生じ、隙間なくフィットさせることができないおそれがある。交角θ１が６０度超えの場合、吸収体２３を十分に上方に引き上げることができず、着用者の臀部上方に位置する仙骨部周辺におむつ本体１６を位置させることができなくなり、臀部において尿を吸収体２３に吸収させることができずに漏れが生じるおそれがある。
【００４５】
再び、図２を参照すると、吸収体２３の縦方向Ｙの寸法Ｌ２は、おむつ１０（おむつ本体１６）の縦方向Ｙの寸法Ｌ１の６５〜９５％の大きさを有する。通常、おむつの縦方向の寸法に対して吸収体の縦方向の寸法は６０％の大きさであって、おむつの吸収体から縦方向の外側に位置するシート部材のみから形成された部分の面積が比較的に大きくなっている。本実施形態においては、吸収体２３が所要の吸収性能を発揮しうるのに十分な長さ寸法を有する一方、それよりも縦方向Ｙの外側に位置するシート部材のみからなる部分の面積を比較的に小さくすることによって、より少ない資材で製造することができ、製造コストを抑えることができる。また、吸収体２３の前後端縁２３ａ，２３ｂとおむつ本体１６の前後端縁１６ａ，１６ｂとが、通常のおむつに比べて近接しているために、着用状態においてウエスト開口１４が臍部よりも下に位置するようなローライズですっきりとした着用態様となる。
【００４６】
図６を参照すると、前後ウエスト域１１，１２における交角θ１，θ２が互いに異なるので、横中心線Ｑに沿って折曲して前後ウエスト域１１，１２の内面どうしを互いに当接させ、かつ、収縮した状態において、前ウエスト域１１の横方向Ｘの中央部と後ウエスト域１２の横方向Ｘの中央部とが互いに重なっていない。本実施形態においては、交角θ２が交角θ１よりも大きいことによって、後ウエスト域１２の中央部が前ウエスト域１１の中央部よりも上方へ突出し、前後ウエスト域１１，１２の識別がより容易になる。
【００４７】
股上の浅い、ローライズタイプ（ローウエストタイプ）のおむつは、成人の軽失禁用として好まれるが、交角θ１と交角θ２とが等しい場合には、腹側においてウエストベルト１７が着用者の脚の動きを阻害する位置に配置されやすくなり、背側においてウエストベルト１７の端部が着用者の臀部に食い込みやすくなる。すなわち、交角θ１と交角θ２とが互いに等しい場合、例えば、腹側においておむつ本体１６が着用者の鼠蹊部にフィットするように、交角θ１，θ２を設定すると、背側において吸収体２３を十分に身体の上方へ引き上げることができず、おむつ本体１６がダブついて臀部との間に隙間が生じてしまい、排泄物が漏れるおそれがある。
【００４８】
これに対し、本実施形態のおむつ１０では、交角θ１と交角θ２とが互いに異なっているため、腹側においてウエストベルト１７が着用者の脚の動きを阻害することをなくし、背側においてウエストベルト１７の端部が着用者の臀部を覆い、一部が身体に食い込むのを防止することができる。そのため、ローライズタイプのおむつ１０においてフィット性を向上させることができるうえに、ショーツのような下着らしい外観を有することができる。
【００４９】
また、前レッグ開口縁１９ａと後レッグ開口縁１９ｂとが異なる形状を有することから、それらが前後方向において互いに重なっていない。すなわち、前レッグ開口縁１９ａが横方向Ｘの内側へ凸曲状を有する一方、後レッグ開口縁１９ｂが横方向Ｘの外側へ凸曲した形状を有することから、後レッグ開口縁部の一部が前レッグ開口縁部よりも外側へ延出している。おむつ１０がかかる形態を有することによって、前ウエスト域１１の側では、ウエストベルト１７が着用者の大転子と骨盤内に収まるように、すなわち、鼠蹊部に食い込むようにして着用され、おむつ１０が股上の浅いローライズタイプであっても、着用中にずり下がることはない。一方、後ウエスト域１２の側では、後レッグ開口縁部が前レッグ開口縁部から横方向Ｘの外側へ延出し、クロッチ域１３の後側部分１３Ｂが、前側部分１３Ａよりも幅広であることによって、臀部が広い範囲で覆われて外部に露出されるのを抑制することができる。
【００５０】
図７は、前ウエスト域１１において、前接合ライン１８Ａを有する部分の拡大図であり、図８は、図７のＶＩＩＩ−ＶＩＩＩ線断面図である。なお、以下に、前接合ライン１８Ａを説明し、後接合ライン１８Ｂの説明を省略するが、後接合ライン１８Ｂも同様の構成である。
【００５１】
前接合ライン１８Ａは、複数の独立したシール部（接合部）８０と、おむつ本体１６とウエストベルト１７とを接合していない非シール部（非接合部）８１とを有する領域８３から形成される。非シール部８１は、１つのシール部８０と、別の１つのシール部８０との間に位置している。おむつ本体１６及びウエストベルト１７には、おむつ本体１６の肌対向面と、ウエストベルト１７の肌対向面どうしが互いに対向して重ね合された重畳域８７が形成される。シール部は、公知の接合手段、例えば、熱エンボス加工、ソニック加工等の各種の熱溶着手段によって施されている。
【００５２】
シール部８０と非シール部８１とから形成される領域８３は、横方向Ｘおよび縦方向Ｙに対して傾斜するように延び、領域８３が延びる方向に対して交差（直交）する方向へ幅寸法Ｌ３を有している。
【００５３】
このおむつ１０において、前接合ライン１８Ａが延びる方向Ｋと交差（直交）する方向において、前接合ライン１８Ａの外側縁８４ａと、重畳域８７の外側縁８７ａとの離隔寸法Ｌ４は、１〜１２ｍｍである。離隔寸法Ｌ４が１ｍｍより小さいと、製造ラインを機械方向へ走行しているおむつ１０が、機械方向と交差（直交）する交差方向へ蛇行すると、シール部８０をカットして接合強度を低下させ、前ウエスト域１１と後ウエスト域１２とが剥離するおそれがある。一方、離隔寸法Ｌ４が１２ｍｍより大きいと、前接合ライン１８Ａが非肌対向面側に突出するため、前接合ライン１８Ａが目立ち、おむつ１０を着用していることが、衣服の上からわかるおそれがある。このおむつ１０では、離隔寸法Ｌ４が１〜１２ｍｍであるため、接合ラインが切断されることがなく、破れるのを抑えることができるとともに、前接合ライン１８Ａが目立ちにくい。加えて、非肌対向面に突出する寸法を小さくすることができるため、おむつ１０のみを着用した状態では、前接合ライン１８Ａの陰影が小さく目立ちにくい。また、おむつ１０の上に衣服を着用した状態では、前接合ライン１８Ａの非肌対向面における突出寸法を小さくできるため、衣服がごわごわとした外観となるのを抑制することができる。特に、おむつ１０の機械方向への搬送速度を増加させておむつ１０を高速で生産するとき、おむつ１０が蛇行する交差方向の長さ寸法が大きくなるおそれがあるため、シール部のカットを確実になくすためには、離隔寸法Ｌ４が３ｍｍ以上であることが特に好ましい。また、より、おむつ１０の前後における接合ライン１８Ａ，１８Ｂの陰影をより減らすためには、離隔寸法Ｌ４が１０ｍｍ以下であることが好ましい。
【００５４】
一般的に、前ウエスト域に弾性体を有し、後ウエスト域に弾性体を有し、前後ウエスト域の両側縁にシーム部を設け、前ウエスト域に位置する前パネルと、後ウエスト域に位置する後パネルとを結合するおむつにあっては、前後ウエスト域の弾性体の伸縮力に大きな相違がないため、シーム部が位置する前後パネルの両側縁は、どちらか一方に倒れることはない。
【００５５】
一方、このおむつ１０におけるウエストベルト１７は、図３に示すように、下側縁１７ｃにおける前後接合ライン１８Ａ，１８Ｂに隣接する領域を除き、上側縁１７ｄから下側縁１７ｃまで上方ウエスト弾性体３３と、下方ウエスト弾性体３４と、上方レッグ弾性体３５とを有している。これらの弾性体３３，３４，３５によって下側縁１７ｃを除き、ウエストベルト１７には、横方向Ｘへ伸縮する力が加えられる。一方、おむつ本体１６は、横方向Ｘの両側部に、下方レッグ弾性体２６を有しているが、横方向Ｘの中央部に、いかなる弾性体も存在しない非存在域８９が位置している。このため、おむつ本体１６の横方向Ｘの中央部には、縦方向Ｙへ伸縮する力がほとんど作用していない。この結果、ウエストベルト１７の横方向Ｘへの伸縮力が、おむつ本体１６の縦方向Ｙへの伸縮力よりも大きい。これにより、重畳域８７は、図８に示すように、少なくともウエスト開口１４側では、ウエストベルト１７の収縮によって、ウエストベルト１７側へ倒伏する。よって、前接合ライン１８Ａが目立つのをより抑えることができる。
【００５６】
前接合ライン１８Ａは、図７に示すように、縦方向Ｙにおいて、おむつ本体１６の内側に位置する複数の内側シール部（内側接合部）８０ａ（８０）と、おむつ本体１６の外側に位置する複数の外側シール部（外側接合部）８０ｂ（８０）とを有している。
【００５７】
内側シール部８０ａは、横方向Ｘおよび縦方向Ｙに対してそれぞれ傾斜する方向Ｋへ間隔を置いて配置してある。外側シール部８０ｂは、横方向Ｘおよび縦方向Ｙに対してそれぞれ傾斜する方向Ｋへ間隔を置いて配置してある。内側シール部８０ａと外側シール部８０ｂとは、傾斜する方向Ｋに対して交差する方向へ間隔を置いて配置してある。これら内側シール部８０ａと外側シール部８０ｂと内外側シール部８０ａ，８０ｂとによって前接合ライン１８Ａが形成される（前接合ライン１８Ａによって画成される領域８４を図８に示す）。
【００５８】
複数の内側シール部８０ａおよび複数の外側シール部８０ｂのいずれか一方のシール部８０から任意に選択した１つのシール部８０ｘは、横方向Ｘに横方向投影域８６ａを有し、縦方向Ｙに第２投影域８６ｂを有している。第１投影域の横方向Ｘの寸法は、シール部８０ｘの横方向Ｘの寸法と同一であり、第２投影域の縦方向Ｙの寸法は、シール部８０ｘの縦方向Ｙの寸法と同一である。なお、図７において、横方向投影域８６ａにハッチングを付してあり、第２投影域８６ｂにハッチングを付してある。
【００５９】
このおむつ１０では、任意に選択した１つのシール部８０ｘにおける第１投影域８６ａに、シール部８０ｘに対して横方向Ｘに隣接する内側シール部８０ｙの一部分が含まれるため、横方向Ｘにおけるおむつ本体１６とウエストベルト１７との接合を確実にすることができる。加えて、このおむつ１０では、シール部８０ｘにおける第２投影域８６ｂに、シール部８０ｘに対して縦方向Ｙに隣接する内側シール部８０ｚの一部分が含まれるため、縦方向Ｙにおけるおむつ本体１６とウエストベルト１７との接合を確実にすることができる。
【００６０】
前後接合ライン１８Ａ，１８Ｂのシール部８０において、シール部８０が延びる方向と直交する方向における剥離強度は、少なくとも５Ｎ／２５ｍｍ〜１００Ｎ／２５ｍｍであることが好ましい。また、領域８３におけるシール部８０の面積率は１０〜６０％が好ましい。
【００６１】
図９は、上記したおむつ１０の変形例における図７と同様の部分拡大図である。この変形例のおむつ１０において、複数の内側シール部８０ａおよび複数の外側シール部８０ｂのいずれか一方のシール部８０から任意に選択した１つのシール部８０ｘは、第１投影域８６ａおよび第２投影域８６ｂから外れた領域８６ｃに、上記した１つのシール部８０ｘに対して横方向Ｘに隣接する内側シール部８０ｙが位置するとともに、上記した１つのシール部８０ｘに対して縦方向Ｙに隣接する内側シール部８０ｚが位置する。このため、シール部８０の面積を可及的に小さくし、前接合ライン１８Ａにおける剛性を小さくすることができる。
【００６２】
なお、上述した実施の形態には、横方向Ｘおよび縦方向Ｙに対してそれぞれ傾斜する方向Ｋへ延びる１列の内側シール部８０ａと１列の外側シール部８０ｂと、その間の領域によって、前後接合ライン１８Ａ，１８Ｂを形成するおむつ１０を説明した。しかし、この考案はそれに限られず、傾斜する方向Ｋへ延びる１列の接合部のみによって前後接合ラインを形成してもよいし、傾斜する方向Ｋへ延びる３列以上の接合部と、それらの間に位置する領域とによって前後接合ラインを形成してもよい。
【００６３】
また、ウエストベルト１７において、内層３１と外層３２との間に位置するウエスト弾性体３３，３４，３５を横方向に延出させ、ウエスト弾性体３３，３４，３５が、伸縮力を有する主体部と、伸縮力を喪失した延出部とを有し、延出部が重畳域８７にのみ位置するようにおむつ１０を構成してもよい。このように構成すれば、伸縮力を喪失した状態のウエスト弾性体３３．３４．３５が重畳域８７に位置するため、ウエスト弾性体３３，３４，３５の主体部が収縮すると、それに連動してウエスト弾性体３３，３４，３５の延出部が引張られ、重畳域８７のウエストベルト１７側への倒伏を確実にすることができる。
【００６４】
本考案のおむつ１０を構成する各構成部材には、明細書に記載されている材料のほかに、この種の物品において通常用いられている各種公知の材料を制限なく用いることができる。また、明細書及び特許請求の範囲において、「第１」及び「第２」の用語は、同様の要素、位置等を単に区別するために用いられる。
【符号の説明】
【００６５】
１０      使い捨て着用物品（使い捨ておむつ）
１１      前ウエスト域
１２      後ウエスト域
１３      クロッチ域
１４      ウエスト開口
１５      レッグ開口
１６      おむつ本体
１７      ウエストベルト
１８Ａ    前接合ライン（接合ライン）
１８Ｂ    後接合ライン（接合ライン）
８０    シール部（接合部）
８０ａ  内側シール部（内側接合部）
８０ｂ  外側シール部（外側接合部）
８０ｘ  任意に選択した１つの接合シール部（接合部）
８４ａ  接合ラインの外側縁
８６ａ  第１投影域
８６ｂ  第２投影域
８６ｃ  第１投影域および第２投影域から外れた領域
８７    重畳域
８７ａ  重畳域の外側縁
Ｋ      接合ラインが延びる方向
Ｌ４    接合ラインの外側縁と重畳域の外側縁との離隔寸法
Ｐ      縦中心線
Ｘ      横方向
Ｙ      縦方向
【図１】
0003206405.tif 000003
【図２】
0003206405.tif 000004
【図３】
0003206405.tif 000005
【図４】
0003206405.tif 000006
【図５】
0003206405.tif 000007
【図６】
0003206405.tif 000008
【図７】
0003206405.tif 000009
【図８】
0003206405.tif 000010
【図９】
0003206405.tif 000011